(57)【要約】【課題】窓を換気開放状態と全開放状態とに切り換え操作する室内側の切換ノブを丸ごと取り外せるようにし、いたずらを防止して、窓からの転落事故を確実に防ぐ。【解決手段】窓２を開放規制する牽制アーム６を有する。牽制アーム６は、室内側の切換ノブ８で待機位置と作動位置とに切り換えることができる。牽制アーム６を待機位置にセットしたとき、窓２は閉じ位置から全開放状態にまで開く。牽制アーム６を作動位置にセットしたとき、窓２は半開きの換気開放状態にまで開くことができるが、それ以上には開かない。切換ノブ８は、窓２と開口枠１との間のシール隙間Ｆを利用して室内側に突出している。切換ノブ８は、牽制アーム６が不用意に切り換え操作されないように、必要に応じて取り外しておくことができる。【選択図】図１
2005256601.tif 000002
【特許請求の範囲】
【請求項１】
開口枠（１）と、開口枠（１）に揺動開閉自在に支持された窓（２）の揺動先端側の窓縦枠との間に、窓（２）を換気位置において開き規制する牽制アーム（６）が設けられており、
開口枠（１）に固定したベース（４）に、牽制アーム（６）の一端が支軸（５）を介して開口枠（１）の内外方向へ揺動自在に支持されており、
牽制アーム（６）の他端が、窓（２）から分離する待機位置と、窓（２）に係合する作動位置とに係脱自在であり、
牽制アーム（６）が待機位置にあるときは、窓（２）を閉じ位置から全開放することができ、
牽制アーム（６）が作動位置にあるときは、窓（２）を換気開放位置においてそれ以上の開放を規制することができ、
窓（２）を閉じた状態において、牽制アーム（６）を室内側から待機位置と作動位置とに切り換え操作するための切換ノブ（８）を備えており、
切換ノブ（８）は、窓（２）を閉じた状態において窓（２）と開口枠（１）との間のシール隙間（Ｆ）を介して、開口枠（１）に設けたシール体（４６）を弾性変形させた状態で室内側に突出するノブ腕（８ｂ）と、ノブ腕（８ｂ）の室内側に設けたつまみ（８ａ）とを含み、
前記ベース（４）に対して切換ノブ（８）が着脱自在に装着されていることを特徴とする窓用換気ステー。
【請求項２】
切換ノブ（８）のノブ腕（８ｂ）が、ステンレス薄板で形成されている請求項１記載の窓用換気ステー。
【発明の詳細な説明】
【技術分野】
【０００１】
本発明は、窓と開口枠との間の接合隙間を利用して配置される窓用の換気ステーに関する。
【背景技術】
【０００２】
この種の換気ステーは、本出願人の提案に係る特許文献１、２に公知である。そこでは、開口枠と窓との間に牽制アームを設け、室内側に設けた切換ノブで牽制アームの姿勢を待機位置と換気位置とに切り換えることにより、窓を全開放できる状態と、換気開放位置において開放規制する状態とに選択できるようにしている。これらの換気ステーにおいては、窓を閉じた状態において、切換ノブを待機位置と換気位置とに切り換え操作する。
【０００３】
【特許文献１】特開２０００−３８８６６号公報
【特許文献２】特開平１１−２１０３０３号公報
【発明の開示】
【発明が解決しようとする課題】
【０００４】
本発明の窓用換気ステーは、揺動開閉される窓に適用される。この種の窓においては、換気ステーの設置位置よりも室内側において、開口枠と窓との接合隙間を、開口枠側に設けたゴム製のシール体で密封することが多い。そのため、先のような切換ノブを設ける場合には、開口枠や窓枠に切換ノブ用の切欠や溝を設けねばならず、その分だけ施工に手間を要し、あるいは切換ノブ等の組み立てに余分な手間が掛かる点で不便があった。例えば、開口枠に切欠を設けると、切欠を介して室内外の空気が出入りするおそれがあり、その分だけ空気の気密性が損なわれる不利もある。
【０００５】
本発明の目的は、窓と開口枠とのシール隙間を利用して配置されていて、窓や開口枠に切換ノブ用の導出溝や切欠を設ける必要がなく、したがって施工の手間とコストを著しく削減保持できる窓用換気ステーを提供することにある。
【０００６】
本発明の目的は、切換ノブで窓を全開操作できる状態と、窓が換気位置を越えて開放されるのを規制する状態とに簡単に切り換え操作できるようにする。そのうえで、いたずらを避けるために、切換ノブそのものを外してしまえば、とくに窓は自由に全開操作できる状態にもはや切り換え不能となるようにした窓用換気ステーを提供することにある。
【課題を解決するための手段】
【０００７】
本発明に係る窓用換気ステーは、開口枠１と、開口枠１に揺動開閉自在に支持された窓２の揺動先端側の窓縦枠との間に、窓２を換気位置において開き規制する牽制アーム６を備えている。開口枠１に固定したベース４には、牽制アーム６の一端が支軸５を介して開口枠１の内外方向へ揺動自在に支持されており、牽制アーム６の他端は、窓２から分離する待機位置と、窓２に係合する作動位置とに係脱自在である。牽制アーム６が待機位置にあるとき、窓２は閉じ位置から全開放することができ、牽制アーム６が作動位置にあるとき、窓２は換気開放位置においてそれ以上の開放を規制することができる。窓２を閉じた状態において、牽制アーム６を室内側から待機位置と作動位置とに切り換え操作するための切換ノブ８を備えている。切換ノブ８は、窓２を閉じた状態において窓２と開口枠１との間のシール隙間Ｆを介して、開口枠１に設けたシール体４６を弾性変形させた状態で室内側に突出するノブ腕８ｂと、ノブ腕８ｂの室内側に設けたつまみ８ａとを含む。そのうえで、ベース４に対して切換ノブ８が着脱自在に装着されていることを特徴とする。
【発明の効果】
【０００８】
本発明の窓用換気ステーによれば、窓２を閉じた状態で室内側の切換ノブ８で牽制アーム６を待機位置に切り換えると、窓２は閉じ位置から全開放状態にまで自由に開け閉めできる。切換ノブ８で牽制アーム６を作動位置に切り換えると、窓２は半開きの換気開放位置にまでは開くことができるが、それ以上に開くことは規制されている。
【０００９】
切換ノブ８のノブ腕８ｂは、開口枠１側のシール体４６を弾性変形させた状態で窓２と開口枠１との間のシール隙間Ｆを室内外に横切っている。したがって、例えば切換ノブ８をステンレス薄板で形成しておけば、小さなシール隙間Ｆにも、ノブ腕８ｂを支障なく通すことができる。開口枠１や窓２にノブ腕８ｂを通すための切欠や溝を設ける必要がないので、先の切欠や溝を省略できる分だけ施工の手間を省くことができ、室内側に臨む切換ノブ８が介在しても、組み立てを簡単に行える。切欠や溝を設けることによって、窓２の気密性が損なわれることも解消できる。
【００１０】
切換ノブ８は、開口枠１に固定のベース４に対して着脱自在であるから、とくに牽制アーム６を先の作動位置に切り換えた状態で切換ノブ８を取り外しておくと、もはや牽制アーム６を待機位置にいたずらを受けて切り換えることができなくなる。したがって、窓２は換気のために途中まで開放できても、それ以上に開き操作できない作動位置に維持しておける。その結果、窓２からの人の転落などを確実に防止し得て安全である。室内側に切換ノブ８のつまみ８ａすら臨出しないので、外観形状がスッキリしたものになる。
【発明を実施するための最良の形態】
【００１１】
（実施例１）  図２および図３において符号１は開口枠、２は窓である。窓２は開口枠１に固定した上下一対のヒンジ３で揺動開閉自在に支持してある。窓２を閉じた状態においては、図示していない錠で窓２を閉じ位置に固定保持できる。この錠は、非常時に外部から解錠できる。操作窓２を換気位置において開き保持しながら、非常時には窓２を全開放して屋外からの進入を可能とするために、窓２の揺動先端側の窓縦枠と開口枠１との間の接合隙間Ｅに本発明の換気ステーを配設する。
【００１２】
図３において換気ステーは、開口枠１にビス固定されるベース４と、ベース４に固定した支軸５で開口枠１の内外方向へ揺動自在に支持した牽制アーム６と、窓２の窓縦枠に固定した掛止ピン７と、牽制アーム６を待機位置と作動位置とに切り換えるための切換構造と、室内側から切換構造を操作する切換ノブ８と、非常時に屋外側から切換構造を操作するための解除ノブ９などで構成する。
【００１３】
図４および図７に示すように、ベース４は一側に断面Ｃ字状のガイド溝１０を設け、他側に板状壁１１を設けた金属製の押し出し材からなり、板状壁１１の上下２個所をビスで締結して開口枠１に固定する。このベース４に切換ノブ８や牽制アーム６などを一体的に組み付ける。
【００１４】
牽制アーム６は、ステンレス板材製のプレス成形品からなり、その上端寄りの板面に支軸５でスライド案内されるスライド溝１３を設け、スライド溝１３の下端に、スライド溝の溝幅より大径の揺動穴１４を設ける。牽制アーム６の上半側は一定幅に形成するが、下半側は上半側より広幅に形成し、さらに下すぼまり状に形成する。
【００１５】
牽制アーム６には、上半部と下半部との間に、掛止ピン７を受け入れるための凹部１５を折り曲げ形成し、凹部１５に臨む段壁１６からアーム下端寄りにわたって、掛止ピン７と係合する連繋溝１７を通設する。アーム板面の上部に、操作板２０でスライド操作される係合ピン２４をかしめ固定する。
【００１６】
図３において、連繋溝１７は、段壁１６側に形成した溝開口１７ａと、溝開口１７ａに連続する上端の導入溝１７ｂと、逆Ｊ字状の主溝１７ｃとからなる。溝開口１７ａは、掛止ピン７の突端のフランジ部直径より僅かに広幅に形成し、他の溝部分は掛止ピン７の軸部径より僅かに広幅に形成する。主溝１７ｃを逆Ｊ字状に形成すると、窓２が閉じ終わる時、あるいは開き始める時の牽制アーム６の揺動量を小さくできる。連繋溝１７の端に臨んで、換気開放時の掛止ピン７を弾性的に係合保持するばね板２８がスポット溶接してある。
【００１７】
図７に示すように切換構造は、先のベース４と、ベース４のガイド溝１０に挿嵌されて上下スライド自在に係合案内されるスライダー１９と、スライダー１９にピン４３でかしめ固定される操作板２０と、先のピン４３に着脱可能に装着される切換ノブ８と、操作板２０の屋外側の端部に固定される解除ノブ９と、操作板２０に固定されるスペーサー４２で構成する。
【００１８】
スライダー１９はガイド溝１０でスライド案内される断面工字状のスライド部１９ａと、ベース４および牽制アーム６の外面を覆うカバー壁２２とを一体に成形したプラスチック成形品からなる。図８に示すように、スライド部１９ａの上部上面に位置するカバー壁２２の表面には、凹部４４が設けてあり、その一側縁に操作板２０を組むための溝４５が開口してある。
【００１９】
凹部４４において操作板２０をピン４３で連結し、操作板２０の上面に露出するピン４３の軸頭に、切換ノブ８を着脱可能に装着する。カバー壁２２の上下には、ベース締結用のビスを締緩操作するための工具穴４１を形成する（図３参照）。
【００２０】
切換ノブ８は、ステンレス薄板を階段状に折り曲げたノブ腕８ｂと、ノブ腕８ｂの室内側の端に固定されるつまみ８ａとからなる。ノブ腕８ｂを一対のピン４３に係合連結するために、その取付部に一対の装着穴８ｃを打ち抜き形成している（図３参照）。
【００２１】
図１に示すように、窓２を閉じた状態におけるノブ腕８ｂの中途部は、窓２と開口枠１との間のシール隙間Ｆを介して、開口枠１に設けたシール体４６を弾性変形させた状態で室内側に突出する。この時、シール体４６を無理なく弾性変形させるために、ノブ腕８ｂをステンレス薄板で形成している。
【００２２】
なお、切換ノブ８をピン４３に対して着脱可能とするのは、切換構造がいたずらによって操作されるのを防ぐためである。
【００２３】
操作板２０はステンレス薄板を階段状に折り曲げたプレス成形品からなり、ベース４の板状壁１１と対向する主面壁２０ａに、係合ピン２４を介して牽制アーム６を同行スライド操作するための操作溝２３を設ける。
【００２４】
後述するように、牽制アーム６と係合ピン２４とは支軸５を中心にして内外に揺動する。この動作を許すために、操作溝２３は図６に示すように係合ピン２４の揺動軌跡に対応して部分円弧状に形成する。スペーサー４２にも操作溝２３を設けておく。
【００２５】
解除ノブ９は、操作板２０を利用して形成する。詳しくは、図４および図７に示すように先の主面壁２０ａに連続して階段状の腕部２０ｂを折り曲げ形成し、ベース４の外面へ突出する腕部２０ｂの外端につまみ９ａを固定して解除ノブ９とする。
【００２６】
先の切換ノブ８と同様に、腕部２０ｂは、窓２と開口枠１との間のシール隙間Ｆを介して、開口枠１に設けたシール体４７を弾性変形させた状態で室外側に突出する。この場合にも、シール体４７を無理なく弾性変形させるために、腕部２０ｂを含む操作板２０の全体をステンレス薄板で形成している。
【００２７】
組み付け状態においては、切換構造を切換ノブ８で上下に切り換え操作することにより、牽制アーム６を下方の待機位置と、上方の作動位置とに同行スライドできる。牽制アーム６が待機位置にあるとき（図４に示す状態）、窓２に固定した掛止ピン７は凹部１５内を内外方向へ出入りできる。したがって、窓２は全閉状態から直接全開放操作できる。
【００２８】
切換ノブ８を待機位置から上方スライド操作すると、牽制アーム６が同行スライドして、図５に示すように、その連繋溝１７の導入溝１７ｂが掛止ピン７に外嵌して、両者７・１７は互いに係合する。
【００２９】
牽制アーム６が作動位置へ上方スライドし終わった図５の状態でのみ、牽制アーム６を内外方向へ揺動させるために、支軸５にガイド軸部を設け、その軸端にガイド軸部より大径のフランジ３２を張り出す（図７参照）。先に説明したように、支軸５で支持される牽制アーム６側の穴は、スライド溝１３と揺動穴１４とで、鍵穴を上下に反転した形状に形成されている。この溝１３および揺動穴１４に対応して、ガイド軸部の断面形状を太鼓形に形成し、一対の平坦面なガイド面でスライド溝１３をスライド案内する。
【００３０】
窓２を換気開放した図３の状態において、牽制アーム６は支軸５まわりに揺動して、連繋溝１７の奥端が掛止ピン７に外接している。この状態で窓２の開閉抵抗を越える風圧が窓面に作用すると、窓２は閉じてしまう。このような風による窓２の閉鎖を阻止するために、連繋溝１７の奥端近傍にばね板２８を設け、このばね板２８で掛止ピン７の軸端押圧保持することにより、換気に好適な風が吹く程度では、窓２を風圧に抗して換気位置に保持できるようにしている。
【００３１】
なお、窓２が閉じ位置から換気位置へ相対スライドするとき、掛止ピン７のフランジ部はばね板２８を押しのけるように弾性変形させて、ばね板２８の先端寄りに設けた凹みに落ち込み係合する。
【００３２】
以上のように、窓２の外面に臨んで解除ノブ９を設けておくと、たとえ牽制アーム６が作動位置にあって、その連繋溝１７が掛止ピン７と係合していたとしても、火災などの非常時には、牽制アーム６を解除ノブ９でスライド操作して待機位置へ切り換え、窓２を全開放することができる。
【００３３】
切換ノブ８および解除ノブ９は、それぞれシール隙間Ｆを利用して屋内外へ突出しているので、両ノブ８・９を突出させるための切欠等を開口枠１に設ける必要が無く、その分だけ換気ステーの施工に要する手間を省くことができる。
【００３４】
切換ノブ８を作動位置へスライド操作しておくだけで、窓２が作動位置を越えて不用意に開放されるのを規制できるので、いたずらなどによって窓２が開き操作される場合でも、窓２の開量を制限して幼児などの転落を確実に防止できる。牽制アーム６、スライダー１９、および操作板２０等をベース４に組むことによって、窓２側の掛止ピン７を除く全ての部品をユニット部品として一体化できる。
【００３５】
上記の換気ステーは、その一部を次のように変形した形態で実施することができる。支軸５をスペーサー４２および操作板２０に固定して、スライド溝１３を省略する。係合ピン２４を操作板２０に設け、操作溝２３を牽制アーム６に設ける。
【００３６】
上記の実施例以外に、切換構造は牽制アーム６をその厚み方向へ傾動操作して、アーム下端に設けた掛止ピン７を窓２側のガイド金具に係合させ、あるいは係合を解除する構造とすることができる。
【図面の簡単な説明】
【００３７】
【図１】換気ステーの横断平面図である。
【図２】非常侵入窓の概略平面図である。
【図３】換気ステーの側面図である。
【図４】牽制アームを待機位置に操作した状態での一部破断側面図である。
【図５】牽制アームを換気位置に操作した状態での一部破断側面図である。
【図６】牽制アームの軸支構造を示す一部破断側面図である。
【図７】図４におけるＡ−Ａ線断面図である。
【図８】図４におけるＢ−Ｂ線断面図である。
【符号の説明】
【００３８】
１  開口枠
２  窓
４  ベース
５  支軸
６  牽制アーム
８  切換ノブ
８ａ  切換ノブのつまみ
８ｂ  切換ノブのノブ腕
Ｅ  接合隙間
Ｆ  シール隙間
【図１】
2005256601.tif 000003
【図２】
2005256601.tif 000004
【図３】
2005256601.tif 000005
【図４】
2005256601.tif 000006
【図５】
2005256601.tif 000007
【図６】
2005256601.tif 000008
【図７】
2005256601.tif 000009
【図８】
2005256601.tif 000010